(57)【要約】【課題】  高価な印刷媒体が無駄に消費されるのを防止することができる。【解決手段】  印刷制御部１は印刷中にエラーの発生を検出してエラー情報を出力し、制御データ保持部３はエラー情報をエラーレポートとして印刷すべき印刷媒体のサイズ又は種別を予め指定する媒体種別情報を格納し、エラーレポート出力可否選択手段はエラーレポート出力の可否を予め利用者に選択入力させ、エラーレポート制御部２は印刷制御部から上記エラー情報を受け入れると上記利用者の選択入力に基づいてエラーレポート出力の可否を判定し、出力可であると上記媒体種別情報を読み出して、エラーレポートとして印刷すべき印刷媒体が印刷中の印刷媒体に該当すると、上記エラーレポートを印刷させる。【選択図】        図１
2005074982.tif 000002
【特許請求の範囲】
【請求項１】
状態の異なる複数の印刷媒体に印刷可能な印刷処理装置であって、
前記状態の異なる複数の印刷媒体をそれぞれ供給する複数の媒体供給部と、
該媒体供給部がそれぞれ供給する印刷媒体の状態を保持する媒体状態保持部と、
前記印刷装置に発生する関連情報を印刷する媒体条件を保持する制御データ保持部と、
印刷処理中に前記関連情報の印刷要求があると、前記媒体状態保持部の保持する前記印刷媒体の状態と前記制御データ保持部が保持する前記媒体条件とに基づいて前記関連情報を印刷する印刷機構部とを備えることを特徴とする印刷処理装置。
【請求項２】
請求項１に記載の印刷処理装置に於いて、
前記印刷機構部は、
印刷処理中に前記関連情報の印刷要求があると、前記制御データ保持部が保持する前記媒体条件が前記媒体状態保持部の保持する前記印刷媒体の状態を満たすと、前記関連情報を印刷することを特徴とする印刷処理装置。
【請求項３】
請求項１に記載の印刷処理装置に於いて、
媒体条件は、前記関連情報をレポートとして印刷する印刷媒体のサイズ又は種別を複数個含み、該複数個のサイズ又は種別には、予め前記レポート用の印刷媒体として使用する優先順位が設定されていることを特徴とする印刷処理装置。
【請求項４】
請求項３に記載の印刷処理装置に於いて、
前記優先順位を変更する優先順位変更手段を更に備えることを特徴とする印刷処理装置。
【請求項５】
状態の異なる２種類の印刷媒体に印刷可能な印刷処理装置であって、
前記２種類の印刷媒体をそれぞれ供給する第一の媒体供給部及び第二の媒体供給部と、
前記第一の媒体供給部が供給する印刷媒体の状態を保持する第一媒体状態保持部と、
前記第二の媒体供給部が供給する印刷媒体の状態を保持する第二媒体状態保持部と、
前記印刷処理装置の関連情報を印刷する媒体条件に優先順位を付けて保持する制御データ保持部と、
印刷処理中に前記関連情報の印刷要求があると、前記制御データ保持部が保持する媒体条件と、前記第一の媒体供給部及び第二の媒体供給部が保持する印刷媒体の状態に基づいて、前記第一の媒体供給部及び第二の媒体供給部の何れか一方が供給する印刷媒体に前記関連情報を印刷する印刷機構部とを備えることを特徴とする印刷処理装置。
【請求項６】
請求項１から請求項５までの何れか１項に記載の印刷処理装置に於いて、
該印刷処理装置が画像情報を上位装置から直接、及びネットワーク経由の何れからでも受け入れ可能であると、受け入れた画像情報が前記ネットワーク経由か否かを判断し、ネットワーク経由で無いと判断すると、前記関連情報の印刷を停止させる画像情報経由判断部を更に備えることを特徴とする印刷処理装置。
【発明の詳細な説明】
【技術分野】
【０００１】
本発明は、印刷中にエラーが発生した時にそのエラー情報をエラーレポートとして出力可能な印刷処理装置に関する。
【背景技術】
【０００２】
通常、印刷処理装置の利用者は、複数枚の印刷媒体に亘る画像情報を一括して上位装置から印刷処理装置に送信して印刷処理を実行する。このとき、印刷処理は必ずしも順調に終了するとは限らない。即ち、印刷処理中に於ける、伝送エラー、メモリ不足、等々の理由によってエラーの発生が予想される。従来の印刷処理装置では、発生したエラーの内容に関わらず、エラーの内容のみを一枚の印刷媒体に印刷したエラーレポートを出力し、利用者に印刷途中で何が起きたかを知らせている。又、発生したエラーの内容を着脱自在で書き込み可能な不揮発性記憶手段に記憶させておき、必要に応じて不揮発性記憶手段を取り外して障害を解析し、印刷処理装置の保守管理等に用いる技術も公開されている（例えば特許文献１参照）。
しかし、従来の技術では、発生したエラーの内容に関わらず、エラーが発生した場合には一律に、エラーの内容のみを一枚の印刷媒体に印刷して出力し、利用者に印刷途中で何が起きたかを知らせているため、高価な印刷媒体（例えばＯＨＰシート等）を無駄に消費してしまう場合もあった。
【特許文献１】特開平５−３１８８７号公報（要約）
【発明の開示】
【発明が解決しようとする課題】
【０００３】
本発明では、このような課題を解決し、エラーレポートを印刷する際に印刷媒体の無駄を極力少なくすることを目的としている。
【課題を解決するための手段】
【０００４】
サイズ及び種別の少なくとも一方が異なる複数の印刷媒体に印刷可能な印刷処理装置であって、印刷機構部を制御して何れかの媒体に印刷させると共に、印刷中にエラーの発生を検出し、エラー情報を出力する印刷制御部と、上記エラー情報をエラーレポートとして印刷すべき印刷媒体のサイズ及び種別の少なくとも一方を予め指定する媒体種別情報を格納する制御データ保持部と、上記エラーレポート出力の可否を予め利用者に選択入力させるエラーレポート出力可否選択手段と、上記印刷制御部から上記エラー情報を受け入れると上記利用者の選択入力に基づいて上記エラーレポート出力の可否を判定し、出力可であると上記媒体種別情報を読み出して、上記エラーレポートとして印刷すべき印刷媒体が印刷中の上記印刷媒体に該当すると、上記エラーレポートを印刷させるために上記印刷制御部に指示するエラーレポート制御部とを備えることを特徴とする印刷処理装置。
【発明の効果】
【０００５】
本発明による印刷処理装置は、印刷制御部と、制御データ保持部と、エラーレポート出力可否選択手段と、エラーレポート制御部とを備えることにより、印刷中にエラーが発生しても利用者がエラーレポートの出力を望み、且つ、現在印刷処理に用いられている印刷媒体が、予め使用可能な印刷媒体として定められているサイズや種別に一致する場合のみエラーレポートを出力させることになり、高価な印刷媒体が無駄に消費されるのを防止することができるという効果を得る。
【発明を実施するための最良の形態】
【０００６】
本発明では、高価な印刷媒体の無駄な消費を回避するために以下の手段を採用する。まず最初に、利用者に対してエラーレポートの出力を要求するか否かの選択をさせる。こうすることによってエラーレポートの出力を要求していない利用者にまでエラーレポートを出力する無駄を省く。
【０００７】
更に、利用者がエラーレポートの出力を要求する場合であっても、エラーレポートとして使用可能な印刷媒体のサイズや種別を予め定めておき、現在印刷処理に用いられている印刷媒体が、予め使用可能な印刷媒体として定められているサイズや種別に一致する場合のみエラーレポートを印刷して出力させる。
【実施例１】
【０００８】
実施例１の構成について説明する。
図１は、実施例１の構成のブロック図である。
この図は、本発明による印刷処理装置を一例としてカラープリンタに適用した場合の主要部を表した図である。
図より実施例１のカラープリンタは、印刷制御部１、エラーレポート制御部２、制御データ保持部３、操作パネル４、プリントエンジン部５を備える。
【０００９】
印刷制御部１は、図示しない上位装置から画像情報を受け入れて印刷データを作成し、プリントエンジン部５へ送信する部分である。又印刷処理装置全体の制御を行うマイクロプロセッサでもある。特に本発明では、印刷中にエラーの発生を検出し、エラー情報をエラーレポート制御部２へ出力する部分である。
【００１０】
エラーレポート制御部２は、印刷制御部１からエラー情報を受け入れるとエラーレポート出力の可否を判定し、出力可であると後に説明する媒体種別情報を読み出してエラーレポートとして印刷する印刷媒体が現在印刷処理に用いられている印刷媒体に該当すると、エラーレポートを印刷して出力させ、エラーレポートとして印刷する印刷媒体が現在印刷処理に用いられている印刷媒体に該当しない場合にはエラーレポートを出力させないこととして印刷媒体の無駄を省く部分でもある。
尚、エラーレポート制御部２は、図１に示すように個別の回路ブロックとして構成してもよいが所定のプログラムに基づいて動作する印刷制御部１に含まれる機能部として構成されても良い。
【００１１】
制御データ保持部３は、エラー情報をエラーレポートとして印刷する印刷媒体のサイズ又は種別を予め指定する媒体種別情報を格納する部分である。通常、印刷処理装置が内部に所有しているメモリ（図示していない）の一部の領域が割り当てられる。媒体種別情報の詳細については図２を用いて説明する。
【００１２】
図２は、媒体種別情報（一例）の説明図である。
図中の縦軸方向にＢ５、Ａ４、Ｂ４、Ａ３、長尺（２１６ｍｍ×９００ｍｍ）等の各媒体のサイズが、横軸方向に、上質紙、再生紙、カラー用紙、ＯＨＰ、ボンド紙等の各媒体の種別が記載されている。図中○印は、エラーレポートとして使用してもよい印刷媒体を表し、図中×印は、エラーレポートとして使用してはならない印刷媒体を表している。これらの情報は、次に説明する操作パネル４を介して入力される。
尚、○×は、操作パネル４により状況に応じて後から変更できるようにしても良い。
【００１３】
この図では、Ｂ５の上質紙及び再生紙とＡ４の上質紙及び再生紙がエラーレポートとして使用してもよい印刷媒体に設定され、その他の種別の印刷媒体は使用してはならない印刷媒体に設定されている。即ち、カラー用紙、ＯＨＰ、ボンド紙等の高価な印刷媒体、及びＢ４サイズ以上の大きい印刷媒体は使用してはならない印刷媒体に設定されていることになる。
【００１４】
再度図１に戻って、操作パネル４は、カラープリンタと利用者との間のインタフェースの役割を果たす、データ入力可能な液晶ディスプレイ（一例）である。本発明では、上記のように媒体種別情報の入力や、利用者にエラーレポート出力の可否を選択させる部分である。この選択結果も上記制御データ保持部３の領域の一部に格納される。請求項１に於けるエラーレポート出力可否選択手段は、この部分に該当する。又、上記媒体種別情報の変更手段にもなりうる部分である。
【００１５】
プリントエンジン部５は、印刷制御部１から印刷データと各種の制御信号を受け入れて印刷媒体上に画像を再現する部分である。その内部にブラック（Ｋ）、イエロー（Ｙ）、マゼンタ（Ｍ）、シアン（Ｃ）の４色にそれぞれ対応するＬＥＤ制御手段Ｋ１、ＬＥＤ制御手段Ｙ１、ＬＥＤ制御手段Ｍ１、ＬＥＤ制御手段Ｃ１、露光器Ｋ２、露光器Ｙ２、露光器Ｍ２、露光器Ｃ２、感光ドラムＫ３、感光ドラムＹ３、感光ドラムＭ３、感光ドラムＣ３
、転写器Ｋ４、転写器Ｙ４、転写器Ｍ４、転写器Ｃ４、搬送ベルト６、搬送ローラ７、給紙カセット８、給紙ローラ９、定着器１０等を備える。
【００１６】
ＬＥＤ制御手段（Ｋ１、Ｙ１、Ｍ１、Ｃ１）は、印刷制御部１から各色彩毎の印刷データを受け入れて各色彩毎のタイミング調整等を実行して、露光器（Ｋ２、Ｙ２、Ｍ２、Ｃ２）へ出力する部分である。
露光器（Ｋ２、Ｙ２、Ｍ２、Ｃ２）は、図示していない帯電ローラなどによって、その表面に負の電荷が帯電された感光ドラム（Ｋ３、Ｙ３、Ｍ３、Ｃ３）上へ印刷データに基づく光を照射して静電潜像を形成する部分である。
【００１７】
転写器（Ｋ４、Ｙ４、Ｍ４、Ｃ４）は、図示していない現像ローラ等によって現像された上記静電潜像に付着しているトナーを印刷媒体１１上へ転写する部分である。
搬送ベルト６は、印刷媒体１１を、図中、右から左の方向に搬送するベルトである。
搬送ローラ７は、搬送ベルト６を所定の方向へ回転させるローラである。
【００１８】
給紙カセット８は、各サイズ、各種別の印刷媒体を供給する部分である。給紙ローラ９は、印刷媒体１１を給紙カセット８から搬送ベルト６へ供給する部分である。
定着器１０は、印刷媒体１１上に転写されたトナーを印刷媒体１１上に定着する部分である。
【００１９】
以上の説明に於いて、エラー情報は、請求項中の関連情報に該当する。又、請求項中の媒体供給部は、搬送ベルト６（図１）に印刷媒体１１（図１）を供給する部分が該当し、ここでは、給紙カセット８（図１）及び給紙ローラ９（図１）が該当する。又、請求項中の媒体状態保持部は、給紙カセット又はその周辺に配置されているセンサの検出信号に基づいて印刷媒体供給中の給紙カセット８（図１）を認識している媒体印刷制御部１（図１）の制御手段が該当する。
【００２０】
次に実施例１の動作について説明する。
図３は、実施例１の動作のフローチャートである。
実施例１の動作説明のための前提条件（一例）を以下のように定める。
・前提条件１
利用者は、Ａ３サイズ、２ページの印刷要求を行っており、その２ページ目は、データ誤りがあり印刷不可能である。
・前提条件２
印刷に用いられるカラープリンタの給紙カセット８（図１）にはトレイが３段あり、その全てにＡ３サイズの上質紙が格納されている。
【００２１】
・前提条件３
印刷に用いられるカラープリンタの制御データ保持部３（図１）には図２に示す媒体種別情報が格納されている。
・前提条件４
利用者は、印刷要求にあたって操作パネル４（図１）によってエラーレポートの出力を設定している。
【００２２】
上記前提条件に基づいて、図中のステップＳ１〜ステップＳ６に従って、実施例１のカラープリンタの動作について説明する。
ステップＳ１
利用者が上位装置（図示していない）からＡ３サイズ、２ページ（前提条件１）に亘る画像情報を実施例１のカラープリンタへ送信することによって印刷処理が開始される。全ページの印刷がエラーなしに終了した場合にはフローを終了するが、ここでは１ページ目なのでステップＳ２へ進む。
【００２３】
ステップＳ２
１ページの印刷処理を実行する。
ステップＳ３
印刷制御部１（図１）は、上位装置からの画像情報の受け入れてからカラープリンタ全体の動作を監視し、印刷要求されている印刷がエラーなしに進行しているか否かを絶えず監視しており、エラーの発生が検出されなければステップＳ１へ戻り、エラーが検出されればステップＳ４へ進む。ここでは前提条件１により１ページ目でエラーが検出されず、ステップＳ１へ戻る。再度２ページ目の印刷でステップＳ１〜ステップＳ３を通るが、前提条件１によってステップＳ３でエラーが検出されステップＳ４へ進む。
【００２４】
ステップＳ４
エラーレポート制御部２（図１）は、利用者からエラーレポート出力が予め要求されているか否かを判断し、エラーレポート出力が要求されていない場合にはフローを終了し、エラーレポート出力が要求されている場合にはステップＳ５へ進む。ここでは前提条件４によって利用者からエラーレポート出力が予め要求されているのでステップＳ５へ進む。
【００２５】
ステップＳ５
エラーレポート制御部２（図１）は、制御データ保持部３（図１）に格納されている媒体種別情報（図２）を読み出して、エラーレポートとして印刷する印刷媒体が現在印刷処理に用いられている印刷媒体に該当するか否かを判断し、該当する場合には、エラーレポートを印刷して出力させ、該当しない場合にはエラーレポートを印刷しない。ここでは現在印刷中の印刷媒体がＡ３サイズの上質紙であり、エラーレポートとして使用しても良い印刷媒体として設定されているのがＢ５の上質紙及び再生紙とＡ４の上質紙及び再生紙なので、両者一致しない。従って、エラーレポートの出力不可と判断してフローを終了する。
【００２６】
ステップＳ６
尚、上記ステップＳ５でエラーレポートとして印刷する印刷媒体が現在印刷処理に用いられている印刷媒体に該当していた場合には、エラーレポート制御部２（図１）は、印刷制御部１（図１）を介してプリントエンジン部５（図１）を制御し、エラーレポートを印刷出力させてフローを終了することになる。
【００２７】
以上説明したように、印刷中にエラーの発生を検出し、エラー情報を出力する印刷制御部と、エラー情報をエラーレポートとして印刷する印刷媒体のサイズ又は種別を予め指定する媒体種別情報を格納する制御データ保持部と、エラーレポート出力の可否を予め利用者に選択させるエラーレポート出力可否選択手段と、印刷制御部からエラー情報を受け入れるとエラーレポート出力の可否を判定し、出力可であると媒体種別情報を読み出して、エラーレポートとして印刷する印刷媒体が現在印刷処理に用いられている印刷媒体に該当するとエラーレポートを印刷して出力させるエラーレポート制御部とを備えることにより、印刷中にエラーが発生してもエラーレポートが必ずしも発行されなくなり、高価な印刷媒体などが無駄に消費されなくなるという効果を得る。
【実施例２】
【００２８】
本実施例では、エラー情報をエラーレポートとして印刷する印刷媒体のサイズ又は種別を複数個含み、該複数個のサイズ又は種別には、予めエラーレポート用の印刷媒体として使用する優先順位が設定されている媒体種別情報を有する。こうすることによって実施例１よりもエラーレポートを印刷出力する機会が多くなるが、予め優先度が設定されているので、ここでも高価な印刷媒体などが無駄に消費されるのを防止することができる。
【００２９】
実施例２の構成は実施例１の構成（図１）と全く同様である。但し制御データ保持部３（図１）に格納されている媒体種別情報のみが異なる。以下に、その相違点のみについて説明する。
図４は、優先度つき媒体種別情報（一例）の説明図である。
図中の横軸方向に優先度、優先順位、サイズ、種別が並記されている。図中の縦軸方向には、上から優先度の高い順番に印刷媒体のサイズ及び種別が記載されている。即ち、この図（一例）では、優先順位１は、Ｂ５サイズの再生紙、優先順位２は、Ｂ５サイズの上質紙、優先順位３は、Ａ４サイズの再生紙、優先順位４は、Ａ４サイズの上質紙となっている。この媒体種別情報以外は、実施例１と全く同様なので説明を省略する。
【００３０】
次に実施例２の動作について説明する。
図５は、実施例２の動作のフローチャートである。
実施例２の動作説明のための前提条件（一例）を以下のように定める。
・前提条件１１
利用者は、Ａ３サイズ、２ページの印刷要求を行っており、その２ページ目は、データ誤りがあり印刷不可能である。
・前提条件１２
印刷に用いられるカラープリンタの給紙カセット８（図１）にはトレイが３段あり、トレイ１にはＡ３サイズの上質紙が、トレイ２にはＡ３サイズの再生紙が、トレイ３にはＡ４サイズ再生紙がそれぞれ格納されている。
【００３１】
・前提条件１３
印刷に用いられるカラープリンタの制御データ保持部３（図１）には図４に示す優先度つき媒体種別情報が格納されている。
・前提条件１４
利用者は、印刷要求にあたって操作パネル４（図１）によってエラーレポートの出力を設定している。
【００３２】
上記前提条件に基づいて、図中のステップＳ１１〜ステップＳ１６に従って、実施例２のカラープリンタの動作について説明する。
ステップＳ１１
利用者が上位装置（図示していない）からＡ３サイズ、２ページ（前提条件１１）に亘る画像情報を実施例２のカラープリンタへ送信することによって印刷処理が開始される。全ページの印刷がエラーなしに終了した場合にはフローを終了するが、ここでは１ページ目なのでステップＳ１２へ進む。
【００３３】
ステップＳ１２
１ページの印刷処理を実行する。
ステップＳ１３
印刷制御部１（図１）は、上位装置からの画像情報の受け入れからカラープリンタ全体の動作を監視し、印刷要求されている印刷がエラーなしに進行しているか否かを絶えず監視しており、エラーの発生が検出されなければステップＳ１１へ戻り、エラーが検出されればステップＳ１４へ進む。ここでは前提条件１１により１ページ目でエラーが検出させず、ステップＳ１１へ戻る。再度２ページ目の印刷でステップＳ１１〜ステップＳ１３を通るが、前提条件１１によってステップＳ１３でエラーが検出されステップＳ１４へ進む。
【００３４】
ステップＳ１４
エラーレポート制御部２（図１）は、利用者からエラーレポート出力が予め要求されているか否かを判断し、エラーレポート出力が要求されていない場合にはフローを終了し、エラーレポート出力が要求されている場合にはステップＳ１５へ進む。ここでは前提条件１４によって利用者からエラーレポート出力が予め要求されているのでステップＳ１５へ進む。
【００３５】
ステップＳ１５
エラーレポート制御部２（図１）は、制御データ保持部３（図１）に格納されている優先度つき媒体種別情報（図４）を読み出して、エラーレポートとして印刷する印刷媒体の選択を行ってステップＳ１６へ進む。尚、ここで優先度つき媒体種別情報（図４）に定められているサイズ又は種別の印刷媒体が給紙カセット８（図１）に格納されていない場合にはフローを終了する。ここでは、前提条件１２よりカラープリンタの給紙カセット８（図１）のトレイ３には、Ａ４サイズ再生紙が格納されている。このＡ４サイズ再生紙は、優先順位３として優先度つき媒体種別情報（図４）に含まれている。そこでステップＳ１６へ進む。
【００３６】
ステップＳ１６
エラーレポート制御部２（図１）は、印刷制御部１（図１）を介してプリントエンジン部５（図１）を制御してＡ４サイズ再生紙を印刷媒体とするエラーレポートを印刷出力させてフローを終了する。
図６は、エラーレポートの例である。
図に示すエラーレポートがステップＳ１６で出力されることになる。
【００３７】
尚、優先度つき媒体種別情報は、予め定められているが、場合によっては後から変更しても良い。その変更は、上記操作パネル４（図１）から入力される。この操作パネル４（図１）は、請求項３に記載の優先順位変更手段に該当する。
【００３８】
以上説明したように、媒体種別情報に換えて、エラー情報をエラーレポートとして印刷する印刷媒体のサイズ又は種別を複数個含み、該複数個のサイズ又は種別には、予めエラーレポート用の印刷媒体として使用する優先順位が設定されている優先度つき媒体種別情報を有することによって、実施例１よりもエラーレポートを印刷出力する機会が多くなるが、予め優先度が設定されているので、ここでも高価な印刷媒体などが無駄に消費されるのを防止することができるという効果を得る。
【実施例３】
【００３９】
本実施例では、カラープリンタ（一例）が上位装置と直接接続されており、且つ、ネットワークにも繋がっている場合において、高価な印刷媒体などが無駄に消費されるのを防止するあまり、無用の混乱を避けるために、印刷情報を上位装置から直接受け入れたか、又は、ネットワークから受け入れたかによって、その取扱に差異を設ける。
【００４０】
即ち、上位装置から直接受け入れた場合であれば、エラーレポート制御部の動作を停止させる場合であっても、ネットワークから受け入れた場合にはエラーレポート制御部を稼働させる事とする。ネットワークには沢山の上位装置が接続されていると考えられるので、エラーレポートを省略すると、他の利用者が印刷結果を間違って持ち去って行った場合等に間違った判断をしやすくなるからである。かかる目的を達成するために本実施例のカラープリンタ（一例）は以下のように構成される。
【００４１】
図７は、実施例３の構成のブロック図である。
図より実施例３のカラープリンタは、印刷制御部１、エラーレポート制御部２、制御データ保持部３、操作パネル４、プリントエンジン部５、画像情報経由判断部２１を備える。
【００４２】
画像情報経由判断部２１は、上位装置と印刷制御部１との間に配置され、印刷制御部１が受け入れた印刷情報がネットワーク２２を経由してＰＣ３、ＰＣ４、ＰＣ５の何れかの上位装置から送られてきたものか、あるいは又ＰＣ１又はＰＣ２の何れかから直接送られてきたものか判断し、ＰＣ１又はＰＣ２から直接受け入れた場合であれば、エラーレポート制御部の動作を停止させる部分である。この部分は１つの回路ブロックとして構成されてもよいが、あるいは又、所定のプログラムに従って動作する印刷制御部１の１機能として設けられるものであっても良い。他の構成部分は実施例１と全く同様なので説明を省略する。
【００４３】
図８は、実施例３の動作のフローチャートである。
実施例３の動作説明のための前提条件（一例）を以下のように定める。
・前提条件２１
利用者は、ネットワーク２２（図７）を経由してＰＣ３から、Ａ３サイズ、２ページの印刷要求を行っており、その２ページ目は、データ誤りがあり印刷不可能である。
・前提条件２２
印刷に用いられるカラープリンタの給紙カセット８（図１）にはトレイが３段あり、トレイ１にはＡ３サイズの上質紙が、トレイ２にはＡ３サイズの再生紙が、トレイ３にはＡ４サイズ再生紙がそれぞれ格納されている。
【００４４】
・前提条件２３
印刷に用いられるカラープリンタの制御データ保持部３（図７）には図４に示す優先度つき媒体種別情報が格納されている。
・前提条件２４
利用者は、印刷要求にあたって操作パネル４（図８）によってエラーレポートの出力を設定している。
【００４５】
上記前提条件に基づいて、図中のステップＳ２１〜ステップＳ２７に従って、実施例３のカラープリンタの動作について説明する。
ステップＳ２１
利用者がネットワーク２２（図７）を経由してＰＣ３（図７）から、Ａ３サイズ、２ページ（前提条件２１）に亘る画像情報を実施例３のカラープリンタへ送信することによって印刷処理が開始される。全ページの印刷がエラーなしに終了した場合にはフローを終了するが、ここでは１ページ目なのでステップＳ２２へ進む。
【００４６】
ステップＳ２２
１ページの印刷処理を実行する。
ステップＳ２３
印刷制御部１（図７）は、上位装置からの画像情報の受け入れからカラープリンタ全体の動作を監視し、印刷要求されている印刷がエラーなしに進行しているか否かを絶えず監視しており、エラーの発生が検出されなければステップＳ２１へ戻り、エラーが検出されればステップＳ２４へ進む。ここでは前提条件２１により１ページ目でエラーが検出させず、ステップＳ２１へ戻る。再度２ページ目の印刷でステップＳ２１〜ステップＳ２３を通るが、前提条件２１によってステップＳ２３でエラーが検出されステップＳ２４へ進む。
【００４７】
ステップＳ２４
画像情報経由判断部２１（図７）は、受け入れた画像情報がネットワーク経由か否かを判断し、ネットワーク経由であると判断するとステップＳ２５へ進み、ネットワーク経由で無いと判断すると、エラーレポート制御部２（図７）の動作を停止させてフローを終了する。ここでは前提条件２１よりネットワーク経由なのでステップＳ２５へ進む。
【００４８】
ステップＳ２５
エラーレポート制御部２（図７）は、利用者からエラーレポート出力が予め要求されているか否かを判断し、エラーレポート出力が要求されていない場合にはフローを終了し、エラーレポート出力が要求されている場合にはステップＳ２６へ進む。ここでは前提条件２４によって利用者からエラーレポート出力が予め要求されているのでステップＳ２６へ進む。
【００４９】
ステップＳ２６
エラーレポート制御部２（図７）は、制御データ保持部３（図７）に格納されている優先度つき媒体種別情報（図４）を読み出して、エラーレポートとして印刷する印刷媒体の選択を行い、ステップＳ２７へ進む。尚、ここで優先度つき媒体種別情報（図４）に定められているサイズ又は種別の印刷媒体が給紙カセット８（図７）に格納されていない場合にはフローを終了する。ここでは、前提条件２２よりカラープリンタの給紙カセット８（図７）のトレイ３には、Ａ４サイズ再生紙が格納されている。このＡ４サイズ再生紙は、優先順位３として優先度つき媒体種別情報に含まれている。そこでステップＳ２７へ進む。
【００５０】
ステップＳ２７
エラーレポート制御部２（図７）は、印刷制御部１（図７）を介してプリントエンジン部５（図７）を制御してＡ４サイズ再生紙を印刷媒体とするエラーレポートを印刷出力させてフローを終了する。
尚、優先度つき媒体種別情報は、予め定められているが、場合によっては後から変更しても良い。その変更は、上記操作パネル４（図７）から入力される。
【００５１】
受け入れた画像情報がネットワーク経由か否かを判断し、ネットワーク経由で無いと判断すると、エラーレポート制御部の動作を停止させる画像情報経由判断部を備えることによって、カラープリンタ（一例）が上位装置と直接接続されており、且つ、ネットワークにも繋がっている場合において、高価な印刷媒体などが無駄に消費されることを防止するあまり、無用の混乱を避けることができるという効果を得る。
【産業上の利用可能性】
【００５２】
以上説明した本発明による印刷処理装置は、上記従来技術の特許文献１（特開平５−３１８８７号公報）の技術内容をも一部包含することができる。即ち、上記優先度つき媒体種別情報（図４）にエラー状態記憶の項目を所定の優先順位で設ける。この項目に該当すると、その内容が例えば着脱自在で書き込み可能な不揮発性記憶手段に記憶される。こうすることによって利用者は必要に応じてエラー内容を読み出すことが可能になる。
【００５３】
この内容を印刷媒体に印刷して直接読み出しても良いし、あるいは又特許文献１に記載のように、必要に応じて不揮発性記憶手段を取り外して障害を解析し、印刷処理装置の保守管理等に用いても良い。尚、エラー状態記憶の項目を優先度つき媒体種別情報（図４）に追加することによって上記実施例２のステップＳ１５、又は、上記実施例３のステップＳ２７に於いてＮに進んでフローを終了させることなくエラーの発生状態を記憶させることが可能になる。
【図面の簡単な説明】
【００５４】
【図１】実施例１の構成のブロック図である。
【図２】媒体種別情報（一例）の説明図である。
【図３】実施例１の動作のフローチャートである。
【図４】優先度つき媒体種別情報（一例）の説明図である。
【図５】実施例２の動作のフローチャートである。
【図６】エラーレポートの例である。
【図７】実施例３の構成のブロック図である。
【図８】実施例３の動作のフローチャートである。
【符号の説明】
【００５５】
１  印刷制御部１
２  エラーレポート制御部
３  制御データ保持部
４  操作パネル  ５  プリントエンジン部
６  搬送ベルト  ７  搬送ローラ
８  給紙カセット
９  給紙ローラ
１０  定着器
１１  印刷媒体
Ｃ１、Ｍ１、Ｙ１、Ｋ１  ＬＥＤ制御手段
Ｃ２、Ｍ２、Ｙ２、Ｋ２  露光器
Ｃ３、Ｍ３、Ｙ３、Ｋ３  露光ドラム
Ｃ４、Ｍ４、Ｙ４、Ｋ４  転写器
【図１】
2005074982.tif 000003
【図２】
2005074982.tif 000004
【図３】
2005074982.tif 000005
【図４】
2005074982.tif 000006
【図５】
2005074982.tif 000007
【図６】
2005074982.tif 000008
【図７】
2005074982.tif 000009
【図８】
2005074982.tif 000010